(57)【要約】【課題】おむつ装着時の作業性がよく、着用時のフィット性が高く、漏れが生じにくい使い捨ておむつを提供すること。【解決手段】背側部の両側縁部に設けられた一対のファスニングテープ８及び腹側部の外表面に設けられたファスニングテープ８が着脱自在に止着されるランディングゾーン９を有する使い捨ておむつであって、ランディングゾーン９には、おむつ装着時に、おむつ長手方向に指の挿入可能な指挿入部９２が設けられている。【選択図】図１
2008119358.tif 000002
【特許請求の範囲】
【請求項１】
背側部の両側縁部に設けられた一対のファスニングテープ及び腹側部の外表面に設けられた該ファスニングテープが着脱自在に止着されるランディングゾーンを有する使い捨ておむつであって、
前記ランディングゾーンには、おむつ装着時に、おむつ長手方向に指の挿入可能な指挿入部が設けられている使い捨ておむつ。
【請求項２】
前記ランディングゾーンは、前記腹側部の外表面に接合されたランディングテープから構成されており、該ランディングテープは、前記指挿入部を形成するように該腹側部の外表面に接合されている請求項１記載の使い捨ておむつ。
【請求項３】
前記指挿入部は、腹側部におけるおむつ長手方向端部側から指が挿入可能になっている請求項１又は２記載の使い捨ておむつ。
【請求項４】
前記ランディングテープにおける前記指挿入部に、該指挿入部から腹側部におけるおむつ長手方向端部側に延出したタブが形成されている請求項２又は３記載の使い捨ておむつ。
【請求項５】
前記ランディングテープにおけるおむつ幅方向の両側部は、前記腹側部の外表面に接合されていない請求項２ないし４の何れかに記載の使い捨ておむつ。
【請求項６】
前記使い捨ておむつは、裏面シートの外面に配された外層シートを備え、該外層シートの一部により前記ランディングゾーンが形成されている請求項１記載の使い捨ておむつ。
【発明の詳細な説明】
【技術分野】
【０００１】
本発明は、ファスニングテープ及びファスニングテープが止着されるランディングゾーンを有する使い捨ておむつに関する。
【背景技術】
【０００２】
従来より、一対のファスニングテープが背側部の両側縁部に設けられ、該ファスニングテープが着脱自在に止着されるランディングゾーンが腹側部の外表面に設けられた展開型の使い捨ておむつが知られている。
【０００３】
特許文献１には、上述の展開型の使い捨ておむつにおいて、ファスニングテープとランディングゾーンとの接着性を向上させるために、ランディングゾーンを形成するランディングテープを、おむつ幅方向に亘って所定間隔をおいて腹側部の外表面に接合し、複数の非接合部を形成することも提案されている。
【０００４】
【特許文献１】特開平４−２７６２５１号公報
【０００５】
特許文献１等に記載された使い捨ておむつにおいては、おむつを装着する際、通常、一方の手で腹側部におけるおむつの長手方向端部を持っておむつを支えると共に、他方の手でファスニングテープを持ち、脚周り及び胴周りのサイズを調整して、ランディングゾーンに該ファスニングテープを止着するようになっている。
【発明の開示】
【発明が解決しようとする課題】
【０００６】
しかし、このようにおむつを装着すると、装着時には、おむつと着用者の身体の間におむつを装着する者の指が挟まった状態となるため、おむつの装着後、おむつと着用者の身体との間に挟まった指を抜きにくく、おむつ装着の作業性が悪かった。また指を抜いた後には、おむつと着用者の身体の間に隙間が生じ、着用中にフィット性が低下したり、漏れが生じやすくなる場合があった。
【０００７】
従って、本発明の目的は、おむつ装着時の作業性がよく、着用時のフィット性が高く、漏れが生じにくい使い捨ておむつを提供することにある。
【課題を解決するための手段】
【０００８】
本発明は、背側部の両側縁部に設けられた一対のファスニングテープ及び腹側部の外表面に設けられた該ファスニングテープが着脱自在に止着されるランディングゾーンを有する使い捨ておむつであって、前記ランディングゾーンには、おむつ装着時に、おむつ長手方向に指の挿入可能な指挿入部が設けられている使い捨ておむつを提供することにより、上記目的を達成したものである。
【発明の効果】
【０００９】
本発明の使い捨ておむつによれば、ランディングゾーンに、おむつ長手方向に指の挿入可能な指挿入部が設けられているため、装着時の作業性がよく、着用時のフィット性が高く、漏れが生じにくい。
【発明を実施するための最良の形態】
【００１０】
以下、本発明の使い捨ておむつについて、その好ましい一実施形態である第１実施形態に基づき、図面を参照しながら説明する。
第１実施形態の使い捨ておむつ１は、図１及び図２に示すように、背側部Ｃの両側縁部に設けられた一対のファスニングテープ８，８及び腹側部Ａの外表面に設けられた、ファスニングテープ８が着脱自在に止着されるランディングゾーン９を有し、該ランディングゾーン９には、おむつ装着時に、おむつ長手方向に指の挿入可能な指挿入部９２が設けられている。
【００１１】
第１実施形態の使い捨ておむつ１について更に詳述すると、使い捨ておむつ１は、図３に示すように、液透過性の表面シート２、液不透過性又は撥水性の裏面シート３及び両シート２，３間に介在された液保持性の吸収体４を具備し、実質的に縦長に形成されている。
また、使い捨ておむつ１は、図２及び図４に示すように、その長手方向に、着用時に着用者の腹側に配される腹側部Ａ、着用者の股間部に配される股下部Ｂ及び着用者の背側に配される背側部Ｃに区分される。
【００１２】
腹側部Ａの長手方向の両側部には、一対の腹側サイドフラップ５Ａ，５Ａが形成されている。背側部Ｃの長手方向の両側部にも、一対の背側サイドフラップ５Ｃ，５Ｃが形成されている。腹側サイドフラップ５Ａ及び背側サイドフラップ５Ｃの肌当接面側及び非肌当接面側は、それぞれ、後述するサイドシート６２及び裏面シート３から形成されている。
一対の背側サイドフラップ５Ｃ，５Ｃの両側縁部には、それぞれファスニングテープ８が設けられている。ファスニングテープ８は、基材シート８１と基材シート８１の肌当接面側に配された面状の止着材８２とからなる。
【００１３】
使い捨ておむつ１は、図２に示すように、全体として長手方向中央部が幅方向内方に括れた砂時計状の形状を有している。表面シート２及び裏面シート３は、それぞれ吸収体４の肌当接面側及び非肌当接面側全面を覆っており、吸収体４の周縁より延出している。また、表面シート２は、図３に示すように、その幅が裏面シート３よりも狭くなっている。吸収体４は、図２に示すように、縦長の形状を有し、その長手方向の中央部が幅方向内方に括れている。
【００１４】
吸収体４の長手方向両側部には、表面シート２を介して一対のサイドシート６２，６２が配されている。一対の該サイドシート６２，６２は、吸収体４の肌当接面側の両側部を長手方向全域に亘って覆っている。一対のサイドシート６２，６２は、図３に示すように、吸収体４の両側部の幅方向外方において表面シート２と接合され、固定部６３を形成している。固定部６３は、長手方向に直線状に延びて形成されている。一対のサイドシート６２，６２の内端は、図３に示すように、自由端となっている。股下部Ｂにおける自由端近傍には立体ギャザー形成用の弾性部材６１が伸長状態で固定されており、着用時には、一対の立体ギャザーが形成される。
【００１５】
固定部６３の幅方向外方においては、幅方向外方に延出したサイドシート６２と裏面シート３とが接合され、一対のレッグフラップ７，７が形成されている。一対のレッグフラップ７，７における股下部Ｂの幅方向外端近傍には、レッグギャザー形成用の弾性部材７１が伸長状態で固定されており、着用時にはレッグギャザーが形成される。
【００１６】
次に、第１実施形態における前記ランディングゾーン９について詳細に説明する。
第１実施形態における前記ランディングゾーン９は、図１及び図４に示すように、腹側部Ａの外表面に接合されたランディングテープ９１からなり、該ランディングテープ９１は、指挿入部９２を形成するように腹側部Ａの外表面に接合されている。
【００１７】
第１実施形態においては、ランディングテープ９１は、腹側部Ａの外表面を形成する裏面シート３に接合されている。この接合には、例えばホットメルト接着剤やヒートシール等の公知の手段が用いられる。
【００１８】
ランディングテープ９１は、図４に示すように、横長で、その長手方向がおむつ幅方向と一致している。ランディングテープ９１のおむつ幅方向の長さは、股下部Ｂにおけるおむつの幅方向の長さよりも若干長くなっている。ランディングテープ９１は、図５に示すように、おむつ幅方向に亘って所定の間隔をおいて設けられた接合部９４によって、裏面シート３に接合されている。接合部９４は、ランディングテープ９１の幅方向全体に亘って、帯状に延びており、ランディングテープ９２と裏面シート３との間には、接合部９４及び非接合部がおむつ幅方向に亘って交互に配置されている。非接合部は、おむつ長手方向に指の挿入が可能な程度の幅を有しており、指挿入部９２を形成している。尚、図５は、図４に示すＹ−Ｙ線の断面において、裏面シート３及びランディングテープ９１のみを示した断面図である。
【００１９】
第１実施形態においては、指挿入部９２は、図６に示すように、おむつ幅方向の中心線に対して線対称にそれぞれ３箇所ずつ設けられている。着用者の腹囲によってランディングテープ９１上のファスニングテープ８を止着する部位は異なるため、このように指挿入部９２を複数設けることで、おむつを止着する部位に合わせておむつを持つ位置を変えることができ、好適な状態でおむつを装着できる。
【００２０】
また、指挿入部９２は、ランディングテープ９１におけるおむつ幅方向両側部近傍に設けられることが好ましい。この位置に指挿入部９２を設けることでおむつ装着時に、着用者の脚周りにおむつを沿わせやすくなる。
更に、ランディングテープ９１のおむつ幅方向の両側部は、腹側部Ａの外表面に接合されていないことも好ましい。このようにすることで、ランディングテープ９１のおむつ幅方向の両端部に自由端が形成され、該自由端を持っておむつを装着することもできる。
自由端を形成する場合、その幅方向の長さは、該自由端を摘みやすくし、おむつ着用時の操作性を向上させる観点から、好ましくは１５〜３０ｍｍ、更に好ましくは２０〜３０ｍｍである。
【００２１】
展開型の使い捨ておむつの装着時には、おむつを装着する者は、おむつを腹側部Ａにおけるおむつの長手方向端部側、即ちウエスト側から持つことが多いため、指挿入部９２は、腹側部Ａにおけるウエスト側から指が挿入可能に形成されていることが好ましい。第１実施形態においては、指挿入部９２は、図４に示すように、腹側部Ａにおけるウエスト側及び股下部Ｂ側の両側から指の挿入が可能となっている。
【００２２】
ランディングテープ９１における指挿入部９２には、図６に示すように、該指挿入部９２からウエスト側に延出したタブ９３が形成されている。このようなタブ９３が形成されることにより、指挿入部９２に指を挿入した際に、ランディングテープ９１をより摘みやすくなる。また、おむつを装着する者が指挿入部９２を認識しやすくなるという利点もある。
第１実施形態においては、タブ９３は、ウエスト側に向けて凸に湾曲した略半円形状をしている。また、ランディングテープ９１における指挿入部９２の股下部Ｂ側は、タブ９３と同形状の略半円形状に切り取られている。第１実施形態においては、ランディングテープ９１は、図７に示すように、長尺状のランディングテープ原反９０から略半円形状のタブ９３を有するように所定間隔をおいて幅方向に切断されて形成されている。
【００２３】
指挿入部９２を認識しやすくするためには、ランディングテープ９１における指挿入部９２の色を、指挿入部９２以外の部位と異なる色にすることもでき、また、指挿入部９２に特定の模様等を付すこともできる。
【００２４】
指挿入部９２の数は、好ましくは１〜６個、更に好ましくは４〜６個である。指挿入部９２の幅は、指を挿入しやすくする観点から、好ましくは１５〜３０ｍｍ、更に好ましくは２０〜２５ｍｍである。
また、タブ９３の長さは、ランディングテープ９１を摘みやすくする観点から、好ましくは５〜２０ｍｍ、更に好ましくは１０〜１５ｍｍである。
【００２５】
ランディングテープ９１の形成材料としては、従来の使い捨ておむつ等において用いられているメカニカルファスナーのメス材となる不織布や、不織布又は編布を接合した合成樹脂製フィルム等が好ましく、特に、それ自身でメカニカルファスナーのメス材となる不織布が好ましい。
【００２６】
第１実施形態の使い捨ておむつは、図８に示すように、装着時には、おむつを装着する者は、おむつの腹側部Ａのランディングテープ９１に設けられた指挿入部９２に、好ましくは一方の手の人差し指を挿入し、挿入した人差し指と親指でランディングテープ９１をつまむようにしておむつを持つと共に、他方の手でファスニングテープ８を持ち、足回り及び胴周りのサイズを調整しながら、ファスニングテープ８をランディングテープ９１の所望の位置に止着することができる。
【００２７】
このように、第１実施形態の使い捨ておむつ１によれば、おむつ装着時に、おむつを装着する者の指が、おむつと着用者の身体の間に挟まることがない。従って、装着後に指が抜けにくいといったことがなく、おむつ装着時の作業性に優れる。また、おむつ装着後に、おむつと着用者の身体の間に隙間が生じないため、着用後のおむつのフィット性が高く、更に、おむつと着用者の身体の間に生じる隙間に起因する胴周りからの漏れを防止することができる。
【００２８】
次に、本発明の使い捨ておむつの第２実施形態について説明する。第２実施形態については、上述した第１実施形態と異なる点を説明し、同様の点は、同一の符号を付して説明を省略する。特に説明しない点は、第１実施形態についての説明が適宜適用される。
【００２９】
第２実施形態の使い捨ておむつ１においては、図９に示すように、第１実施形態に比して一対の腹側サイドフラップ５Ａ、５Ａが形成されていない点が主として異なる。
また、第２実施形態においては、一対の背側サイドフラップ５Ｃ，５Ｃは、表面シート２及び裏面シート３とは別部材のシートから形成され、ファスニングテープ８を構成する止着材８２は、一対の背側サイドフラップ５Ｃ，５Ｃを形成する前記シートに直接接合されている。即ち、第２実施形態におけるファスニングテープ８には、基材シート８１は使用されていない。
【００３０】
従来のこのような構成の使い捨ておむつにおいては、腹側部Ａの両側部に、おむつ装着時に手で持つための腹側タブ（図示せず）を設けることが多かった。これに対し、第２実施形態の使い捨ておむつ１においては、ランディングテープ９１に指挿入部９２を有し、該指挿入部９２に指を挿入しておむつの装着ができるため、このような腹側タブを設ける必要がない。従って、第２実施形態の使い捨ておむつ１によれば、第１実施形態と同様の効果が奏される他、おむつの製造に係る部材数を減らすことができ、延いては製造コストを減らすことができる。更に、腹側部Ａに腹側タブを設ける必要がないため、腹側タブを設けたときのように、着用時に腹側タブと背側サイドフラップ５Ｃとが重なることがなく、通気性が向上するという利点もある。
【００３１】
本発明の使い捨ておむつ１における表面シート２、裏面シート３、吸収体４としては、従来の吸収性物品等において用いられている各種材料を用いることができる。
ファスニングテープ８を形成する基材シート８１材料としては、従来の使い捨ておむつ等において用いられている不織布、合成樹脂製フィルム等の各種テープ材料を用いることができ、特に風合いや摘みやすさの観点から、不織布を用いることが好ましい。止着材８２としては、従来の使い捨ておむつ等において用いられているメカニカルファスナーのオス部材を用いることができる。
【００３２】
本発明の使い捨ておむつは、前述した実施形態に制限されることなく、本発明を逸脱しない限り適宜変更が可能である。
第１実施形態及び第２実施形態においては、ランディングゾーン９は、ランディングテープ９１から形成されていたが、ランディングテープ９１を用いずに、使い捨ておむつ１の腹側部Ａの外面を、ファスニングテープ８に止着可能なシートから形成し、該シートの一部をそのままランディングゾーン９として用いてもよい。例えば、裏面シート３の外面に外層シート（図示せず）を更に配し、該外層シートからランディングゾーン９を形成することができる。この場合には、外層シートに切れ込み部（図示せず）を形成し、該切り込み部を挿入口として、外層シートと裏面シート３との間に指挿入部９２を設けることができる。尚、指挿入部９２となる部分においては、外層シートと裏面シート３とを接合せず、指の挿入を可能とすることができる。
【００３３】
指挿入部９２は、第１実施形態及び第２実施形態においては、複数設けられているが、一箇所のみ設けてもよい。
第１実施形態及び第２実施形態においては、ファスニングテープ８及びランディングゾーン９にはメカニカルファスナーのオス材及びメス材を用いたが、ファスニングテープ８として粘着材を用いてランディングゾーン９に止着してもよい。
本発明の使い捨ておむつにおいては、前記各実施形態の各構成を適宜組み合わせることができる。
【図面の簡単な説明】
【００３４】
【図１】図１は、本発明の第１実施形態の使い捨ておむつをその自然状態において示す斜視図である。
【図２】図２は、図１に示す使い捨ておむつについて、各部の弾性部材を伸長させて平面状に拡げた状態を表面シート側から示した平面図である。
【図３】図３は、図２に示すＸ−Ｘ線の拡大断面図である。
【図４】図２は、図１に示す使い捨ておむつについて、各部の弾性部材を伸長させて平面状に拡げた状態を裏面シート側から示した平面図である。
【図５】図５は、図４に示すＹ−Ｙ線の拡大断面図である。
【図６】図６は、第１実施形態の使い捨ておむつにおけるランディングテープを示す部分拡大平面図である。
【図７】図７は、第１実施形態の使い捨ておむつにおけるランディングテープの形成工程を示す平面図である。
【図８】図８は、図１に示す使い捨ておむつの装着形態を示す斜視図である。
【図９】図９は、本発明の使い捨ておむつの第２実施形態の展開平面図（図４対応図）である。
【符号の説明】
【００３５】
１  使い捨ておむつ
２  表面シート
３  裏面シート
４  吸収体
５Ａ  腹側サイドフラップ
５Ｃ  背側サイドフラップ
６１  立体ギャザー形成用の弾性部材
６２  サイドシート
６３  固定部
７  レッグフラップ
７１  レッグギャザー形成用の弾性部材
８  ファスニングテープ
８１  基材シート
８２  止着材
９  ランディングゾーン
９０  ランディングテープ原反
９１  ランディングテープ
９２  指挿入部
９３  タブ
９４  接合部
【図１】
2008119358.tif 000003
【図２】
2008119358.tif 000004
【図３】
2008119358.tif 000005
【図４】
2008119358.tif 000006
【図５】
2008119358.tif 000007
【図６】
2008119358.tif 000008
【図７】
2008119358.tif 000009
【図８】
2008119358.tif 000010
【図９】
2008119358.tif 000011